(57)【要約】【課題】コンテンツに関する画像情報を表示する表示装置、表示方法およびプログラムを提供すること。【解決手段】１または２以上のコンテンツデータと対応付けられたコンテンツ付加情報を記憶する記憶部２２４と、記憶部が記憶する一のコンテンツ付加情報に関する画像情報を含む表示画面を生成する表示画面生成部２３２と、表示画面に含まれる画像情報の切替指示を出力する表示切替部２４４とを備え、表示画面生成部は、表示切替部による切替指示の出力に応じて、表示画面に含まれる画像情報を、一のコンテンツ付加情報に関する他の画像情報に切替えることを特徴とする。【選択図】図４
2008197914.tif 000002
【特許請求の範囲】
【請求項１】
１または２以上のコンテンツデータと対応付けられたコンテンツ付加情報を記憶する記憶部と；
前記記憶部が記憶する一のコンテンツ付加情報に関する画像情報を含む表示画面を生成する表示画面生成部と；
前記表示画面に含まれる前記画像情報の切替指示を出力する表示切替部と；
を備え、
前記表示画面生成部は、前記表示切替部による前記切替指示の出力に応じて、前記表示画面に含まれる前記画像情報を、前記一のコンテンツ付加情報に関する他の画像情報に切替えることを特徴とする、表示装置。
【請求項２】
前記コンテンツ付加情報は、対応付けられたコンテンツデータの属性に応じて階層化されて前記記憶部に記憶されており、
前記一のコンテンツ付加情報に関する画像情報は、前記一のコンテンツ付加情報に含まれる画像情報、または前記一のコンテンツ付加情報の下位のコンテンツ付加情報に含まれる画像情報を含むことを特徴とする、請求項１に記載の表示装置。
【請求項３】
前記表示切替部は、前記切替指示を所定間隔で出力することを特徴とする、請求項２に記載の表示装置。
【請求項４】
前記表示切替部は、前記一のコンテンツ付加情報に関する画像情報の数に応じた間隔で前記切替指示を出力することを特徴とする、請求項２に記載の表示装置。
【請求項５】
前記表示切替部は、ユーザ操作に基づいて前記切替指示を出力することを特徴とする、請求項２に記載の表示装置。
【請求項６】
表示画面生成部は複数の前記コンテンツ付加情報に関する画像情報を含む表示画面を生成し、前記複数の画像情報のうちでカーソルがあてられているコンテンツ付加情報の画像情報のみを、前記表示切替部による前記切替指示の出力に応じて切替えることを特徴とする、請求項２に記載の表示装置。
【請求項７】
音声情報を含むコンテンツデータを再生する再生部をさらに含み、
前記再生部は、前記表示画面生成部により生成された表示画面に含まれる画像情報に対応するコンテンツデータの音声情報を再生することを特徴とする、請求項２に記載の表示装置。
【請求項８】
前記一のコンテンツ付加情報に対する再生指示が入力された場合、前記再生部は、前記再生指示が入力されたときに前記一のコンテンツ付加情報に関する画像情報として前記表示画面に含まれていた画像情報に対応するコンテンツデータの再生を開始することを特徴とする、請求項２に記載の表示装置。
【請求項９】
コンピュータを、
１または２以上のコンテンツデータと対応付けられたコンテンツ付加情報を記憶媒体に記録する記録部と；
前記記憶媒体に記録された一のコンテンツ付加情報に関する画像情報を含む表示画面を生成する表示画面生成部と；
前記表示画面に含まれる前記画像情報の切替指示を出力する表示切替部と；
を備え、
前記表示画面生成部は、前記表示切替部による前記切替指示の出力に応じて、前記表示画面に含まれる前記画像情報を、前記一のコンテンツ付加情報に関する他の画像情報に切替えることを特徴とする表示装置として機能させるための、プログラム。
【請求項１０】
前記コンテンツ付加情報は、対応付けられたコンテンツデータの属性に応じて階層化して前記記憶媒体に記録されており、
前記一のコンテンツ付加情報に関する画像情報は、前記一のコンテンツ付加情報に含まれる画像情報、または前記一のコンテンツ付加情報の下位のコンテンツ付加情報に含まれる画像情報を含むことを特徴とする、請求項９に記載のプログラム。
【請求項１１】
音声情報を含むコンテンツデータを再生する再生部をさらに含み、
前記再生部は、前記表示画面生成部により生成された表示画面に含まれる画像情報に対応するコンテンツデータの音声情報を再生することを特徴とする、請求項１０に記載のプログラム。
【請求項１２】
前記一のコンテンツ付加情報に対する再生指示が入力された場合、前記再生部は、前記再生指示が入力されたときに前記一のコンテンツ付加情報に関する画像情報として生成されていた画像情報に対応するコンテンツデータの再生を開始することを特徴とする、請求項１０に記載のプログラム。
【請求項１３】
１または２以上のコンテンツデータと対応付けられたコンテンツ付加情報を記憶媒体に記録するステップと；
前記記憶媒体が記憶する一のコンテンツ付加情報に関する画像情報を含む表示画面を生成するステップと；
前記表示画面に含まれる前記画像情報の切替指示を出力するステップと；
前記表示画面に含まれる前記画像情報を、前記一のコンテンツ付加情報に関する他の画像情報に切替えるステップと；
を含むことを特徴とする、表示方法。
【発明の詳細な説明】
【技術分野】
【０００１】
本発明は、コンテンツデータに関する画像情報を表示する表示装置、表示方法およびプログラムに関する。
【背景技術】
【０００２】
近日、映像や音声などのコンテンツデータを再生可能な携帯機器が普及している。かかる携帯機器は、コンテンツデータと、ユーザがコンテンツデータを検索するための検索用データベースとを記憶している。検索用データベースには、例えば、コンテンツデータのアーティスト名が対応付けられたノードや、コンテンツデータのアルバム名が対応付けられたノードや、コンテンツデータのタイトルが対応付けられたノードが階層的に記憶されている。携帯機器は、このような各ノードに対応付けられたアーティスト名やアルバム名などのテキスト情報を、ユーザによるコンテンツデータの検索時にディスプレイに表示する。ユーザは、表示されたうちから所望のアーティスト名やアルバム名を選択して階層構造を辿ることによりコンテンツデータを検索することができる。
【０００３】
特許文献１には、コンテンツデータの検索時に、上記コンテンツデータのアルバム名やタイトルに替えて、アルバムやコンテンツデータのジャケット写真を表示する表示方法が開示されている。ジャケット写真は、ジャケット写真に対応するアルバムやコンテンツデータの内容をユーザに想起させ得るため、当該表示方法のようにコンテンツデータの検索時にジャケット写真を表示することは効果がある。
【０００４】
【特許文献１】特開２００６−１８７９４号公報
【発明の開示】
【発明が解決しようとする課題】
【０００５】
しかし、各コンテンツデータや各アルバムには、ジャケット写真などの関する画像情報が複数存在する場合がある。このため、一のコンテンツデータや一のアルバムに対して一の画像情報のみを表示する従来の表示方法では、ユーザがコンテンツデータやアルバムの内容を十分に把握することができず、ユーザがコンテンツデータの検索作業を行なう際に不便であると感じる場合があった。
【０００６】
そこで、本発明は、上記問題に鑑みてなされたものであり、本発明の目的とするところは、ユーザによるコンテンツデータの検索作業の利便性を向上させることが可能な、新規かつ改良された表示装置、表示方法およびプログラムを提供することにある。
【課題を解決するための手段】
【０００７】
上記課題を解決するために、本発明のある観点によれば、１または２以上のコンテンツデータと対応付けられたコンテンツ付加情報を記憶する記憶部と、記憶部が記憶する一のコンテンツ付加情報に関する画像情報を含む表示画面を生成する表示画面生成部と、表示画面に含まれる画像情報の切替指示を出力する表示切替部とを備え、表示画面生成部は、表示切替部による切替指示の出力に応じて、表示画面に含まれる画像情報を、一のコンテンツ付加情報に関する他の画像情報に切替えることを特徴とする、表示装置が提供される。
【０００８】
ここで、コンテンツ付加情報は、対応付けられたコンテンツデータの属性に応じて階層化されて記憶部に記憶されており、一のコンテンツ付加情報に関する画像情報は、一のコンテンツ付加情報に含まれる画像情報、または一のコンテンツ付加情報の下位のコンテンツ付加情報に含まれる画像情報を含んでもよい。
【０００９】
かかる構成においては、記憶部は、例えば２以上のコンテンツデータの集合を示すアルバムの名称やアーティストの名称などを含むコンテンツ付加情報の下位に、該アルバムに収録されたコンテンツデータの名称や該アーティストにより作成されたコンテンツデータの名称などを含むコンテンツ付加情報が配されたデータベースを記憶している。
【００１０】
また、表示画面生成部は、一のコンテンツ付加情報に関する画像情報を含む表示画面を生成する。ここで、一のコンテンツ付加情報に関する画像情報は、一のコンテンツ付加情報が最下位のコンテンツ付加情報である場合には該コンテンツ付加情報に含まれる画像情報であってもよい。また、一のコンテンツ付加情報に関する画像情報は、一のコンテンツ付加情報が下位にコンテンツ付加情報を有する場合には、一のコンテンツ付加情報に含まれる画像情報、または下位のコンテンツ付加情報に含まれる画像情報の少なくともいずれかであってもよい。また、表示画面生成部は、表示切替部による切替指示の出力に応じて、表示画面に含まれる画像情報を、一のコンテンツ付加情報に関する他の画像情報に切替える。
【００１１】
このように、本発明にかかる表示装置は、あるコンテンツ付加情報の画像情報として、表示画面における該コンテンツ付加情報に関する画像情報を順次切り替えることができる。したがって、表示装置のユーザは、順次切り替えられる画像情報に基づいて該コンテンツ付加情報の内容を想起することができる。その結果、当該表示装置によれば、ユーザによるコンテンツデータの検索作業の利便性が向上される。
【００１２】
また、表示切替部は、切替指示を所定間隔で出力してもよい。かかる構成においては、表示画面生成部は、表示画面に含まれる一のコンテンツ付加情報に関する画像情報を、一のコンテンツ付加情報に関する他の画像情報に所定間隔で順次切替えることができる。したがって、ユーザは、コンテンツ付加情報の画像情報として自動的に順次切り替えられる画像情報に基づき、該コンテンツ付加情報の内容を把握可能である。
【００１３】
また、表示切替部は、一のコンテンツ付加情報に関する画像情報の数に応じた間隔で切替指示を出力するようにしてもよい。例えば、表示切替部は、一のコンテンツ付加情報に関する画像情報の数が多い場合には切替指示を出力する間隔を短くし、一のコンテンツ付加情報に関する画像情報の数が多い場合には切替指示を出力する間隔を長くすることができる。または、表示切替部は、一のコンテンツ付加情報に関する画像情報の数で設定時間を除算して得られた時間の間隔で切替指示を出力するようにしてもよい。
【００１４】
かかる構成においては、コンテンツ付加情報に関する画像情報の数がコンテンツ付加情報ごとに相違する場合であっても、各コンテンツ付加情報に関する全ての画像情報が表示されるまでの時間を平滑化することができる。したがって、一のコンテンツ付加情報に関する画像情報の数が他のコンテンツ付加情報に関する画像情報の数より多かった場合であっても、一のコンテンツ付加情報に関する画像情報が切り替えられる間隔を短くすることにより、一のコンテンツ付加情報に関する全ての画像情報が表示されるまでに要する時間を短縮可能である。または、表示切替部は、コンテンツ付加情報に関する画像情報の数に拘らず、コンテンツ付加情報に関する全ての画像情報を特定の時間内に順次表示させることができる。
【００１５】
また、表示切替部は、ユーザ操作に基づいて切替指示を出力してもよい。例えば、表示切替部は、ユーザ操作が入力される度に切替指示を出力してもよい。または、表示切替部は、ユーザ操作が検出されていない間は所定間隔で切替指示を出力し、ユーザ操作が検出されている間は切替指示の出力を停止するようにしてもよい。かかる構成においては、表示画面生成部は、ユーザ操作に基づく切替指示が表示切替部から出力されると、表示画面に含まれる一のコンテンツ付加情報に関する画像情報を、一のコンテンツ付加情報に関する他の画像情報に切替えることができる。したがって、ユーザは、ある画像情報の表示を維持したり、ある画像情報の表示を同一コンテンツ付加情報に関する他の画像情報に切り替えることができる。
【００１６】
また、表示画面生成部は複数のコンテンツ付加情報に関する画像情報を含む表示画面を生成し、複数の画像情報のうちでカーソルがあてられているコンテンツ付加情報の画像情報のみを、表示切替部による切替指示の出力に応じて切替えてもよい。ここで、表示画面に含まれる複数の画像情報が全て順次切り替えられたとしても、ユーザは切替えられる全ての画像情報を把握することは困難である。また、表示画面に含まれる複数の画像情報が全て順次切り替えられると、ユーザによっては煩雑に感じる場合がある。そこで、上記のように表示画面生成部は、表示画面に含まれる複数の画像情報のうちで、カーソルがあてられているコンテンツ付加情報の画像情報のみを表示切替部による切替指示の出力に応じて切替えるようにしてもよい。その結果、画像情報の切替えのための処理負荷を抑制するとともに、ユーザによる使用感の向上を図ることができる。
【００１７】
また、音声情報を含むコンテンツデータを再生する再生部をさらに含み、再生部は、表示画面生成部により生成された表示画面に含まれる画像情報に対応するコンテンツデータの音声情報を再生してもよい。例えば、表示画面生成部により生成される表示画面に、一のアルバム名を含むコンテンツ付加情報に関する画像情報として、該アルバムに含まれる一のコンテンツデータのジャケット写真が含まれていた場合、再生部は、該一のコンテンツデータの音声を再生することができる。また、表示画面に含まれる画像情報は表示切替部による切替指示に応じて切替えられるため、再生部が再生するコンテンツデータも表示切替部による切替指示に応じて切替えられることとなる。
【００１８】
かかる構成においては、表示画面生成部が、コンテンツ付加情報に関する画像情報としてコンテンツ付加情報に対応する一のコンテンツデータを示す画像情報を含む表示画面を生成するとともに、再生部が、該一のコンテンツデータの再生を行なう。したがって、ユーザは、表示される一のコンテンツデータを示す画像情報と、再生される一のコンテンツデータの音声と、に基づいて上記コンテンツ付加情報の内容を把握することができる。このため、当該表示装置は、ユーザによるコンテンツデータの検索作業の利便性の一層の向上を図ることが可能である。
【００１９】
また、一のコンテンツ付加情報に対する再生指示が入力された場合、再生部は、再生指示が入力されたときに一のコンテンツ付加情報に関する画像情報として生成されていた画像情報に対応するコンテンツデータの再生を開始してもよい。かかる構成においては、例えば、表示画面に含まれる画像情報が示すコンテンツデータの再生をユーザが所望した場合、コンテンツ付加情報の階層構造を辿ることなく直ちに該コンテンツデータの再生を開始することができる。
【００２０】
また、上記課題を解決するために、本発明の別の観点によれば、コンピュータを、１または２以上のコンテンツデータと対応付けられたコンテンツ付加情報を記憶媒体に記録する記録部と、記憶媒体に記録された一のコンテンツ付加情報に関する画像情報を含む表示画面を生成する表示画面生成部と、表示画面に含まれる画像情報の切替指示を出力する表示切替部とを備え、表示画面生成部は、表示切替部による切替指示の出力に応じて、表示画面に含まれる画像情報を、一のコンテンツ付加情報に関する他の画像情報に切替えることを特徴とする表示装置として機能させるための、プログラムが提供される。
【００２１】
かかるプログラムによれば、例えばＣＰＵ、ＲＯＭまたはＲＡＭなどのコンピュータのハードウェア構成に、上記のような記録部、表示画面生成部および表示切替部の機能を実現させることができる。すなわち、当該プログラムを用いたコンピュータを、上述の表示装置として機能させることができる。
【００２２】
コンテンツ付加情報は、対応付けられたコンテンツデータの属性に応じて階層化して記憶媒体に記録されており、一のコンテンツ付加情報に関する画像情報は、一のコンテンツ付加情報に含まれる画像情報、または一のコンテンツ付加情報の下位のコンテンツ付加情報に含まれる画像情報を含んでもよい。
【００２３】
音声情報を含むコンテンツデータを再生する再生部をさらに含み、再生部は、表示画面生成部により生成された表示画面に含まれる画像情報に対応するコンテンツデータの音声情報を再生してもよい。
【００２４】
一のコンテンツ付加情報に対する再生指示が入力された場合、再生部は、再生指示が入力されたときに一のコンテンツ付加情報に関する画像情報として生成されていた画像情報に対応するコンテンツデータの再生を開始してもよい。
【００２５】
また、上記課題を解決するために、本発明の別の観点によれば、１または２以上のコンテンツデータと対応付けられたコンテンツ付加情報を記憶媒体に記録するステップと、記憶媒体が記憶する一のコンテンツ付加情報に関する画像情報を含む表示画面を生成するステップと、表示画面に含まれる画像情報の切替指示を出力するステップと、表示画面に含まれる画像情報を、一のコンテンツ付加情報に関する他の画像情報に切替えるステップと、を含むことを特徴とする、表示方法が提供される。
【００２６】
かかる表示方法によれば、コンテンツ付加情報の画像情報として、表示画面におけるコンテンツ付加情報に関する画像情報を順次切り替えることができる。したがって、当該表示方法を実行する表示装置のユーザは、順次切り替えられる画像情報に基づいてコンテンツ付加情報の内容を想起することができる。その結果、当該表示方法は、ユーザによるコンテンツデータの検索作業の利便性を向上させることが可能である。
【発明の効果】
【００２７】
以上説明したように本発明にかかる表示装置、表示方法およびプログラムによれば、ユーザによるコンテンツデータの検索作業の利便性を向上させることができる。
【発明を実施するための最良の形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
また、本明細書においては、図１および図２を参照して本実施形態にかかる携帯機器２０を含むコンテンツ通信システム１について説明した後、図３および図４を参照して本実施形態にかかる携帯機器２０の構成を説明し、図５〜図１２を参照して携帯機器２０が記憶するデータ内容を説明し、図１３〜図２０を参照して携帯機器２０の動作例を説明する。
【００３０】
図１は、本実施形態にかかるコンテンツ通信システム１の構成を示した説明図である。コンテンツ通信システム１は、コンテンツ配信サーバ１０と、通信網１２と、携帯機器２０と、ＰＣ３０と、を含み、携帯機器２０において携帯機器２０が記憶するコンテンツデータのジャケット写真を含む検索画面を表示することができる。
【００３１】
コンテンツ配信サーバ１０は、通信網１２を介して携帯機器２０やＰＣ３０にコンテンツデータを配信、送信あるいは放送する。例えば、コンテンツ配信サーバ１０は、デジタル形式のコンテンツデータを通信網１２としての無線電波を用いて送信するワンセグ放送を行なったり、デジタルラジオの放送を行なうことができる。なお、通信網１２は、銅線または光ファイバーなどの有線ケーブルや、無線電波などのデータの伝送路、またはルータや通信を制御する基地局などのデータの中継機などを含んでもよい。
【００３２】
また、コンテンツデータは、音楽、講演およびラジオ番組などの音楽データや、映画、テレビジョン番組、ビデオプログラム、写真、文書、絵画および図表などの映像および／または音声データや、ゲームおよびソフトフェアなどの任意のデータを含む概念である。なお、
【００３３】
ＰＣ３０は、通信網１２を介してコンテンツ配信サーバ１０から放送されるコンテンツデータを内蔵する記憶媒体に記録することができる。また、ＰＣ３０は、ＣＤ−Ｒ（Ｃｏｍｐａｃｔ  Ｄｉｓｋ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）／ＲＷ／＋Ｒ／＋ＲＷ／ＲＡＭ（Ｒａｍｄａｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどの光ディスクに記憶されたコンテンツデータを、内蔵する記憶媒体に記録することもできる。
【００３４】
また、ＰＣ３０は、内蔵する記憶媒体に記録されているコンテンツデータを携帯機器２０に送信したり、携帯機器２０が記憶するコンテンツデータおよびコンテンツデータの検索用データベースのデータ構造などの管理を行なうことができる。ここで、ＰＣ３０は、コンテンツデータを携帯機器２０にダウンロード方式で送信することも、ストリーミング方式で送信することもできる。ストリーミング方式は、携帯機器２０におけるコンテンツデータの再生速度に同期しながらコンテンツデータを時系列に送信する方式である。一方、ダウンロード方式は、コンテンツデータの全体を携帯機器２０に送信した後に携帯機器２０におけるコンテンツデータの再生を可能とする送信方式である。
【００３５】
携帯機器２０は、コンテンツ配信サーバ１０から送信されたコンテンツデータや、ＰＣ３０から送信されたコンテンツデータを記憶媒体に記録することができる。また、携帯機器２０は、記憶媒体に記録されたコンテンツデータを検索するために、１または２以上のコンテンツデータに対応するメタデータ（コンテンツ付加情報）が階層化された検索用データベースを記憶する。また、携帯機器２０は、検索用データベースに基づいてコンテンツデータの検索画面を表示し、該検索画面を介してユーザにより検索されたコンテンツデータを再生する機能も有する。図２を参照してこのような携帯機器２０の外観構成の一例を説明する。
【００３６】
図２は、本実施形態にかかる携帯機器２０の外観構成例を示した説明図である。詳細には、図２（ａ）は本実施形態にかかる携帯機器２０の正面図であり、図２（ｂ）は本実施形態にかかる携帯機器２０の指示操作部２３を拡大して示した説明図である。図２（ａ）に示した例では、携帯機器２０は、表示部２１、音声出力部２２、指示操作部２３、ホールド操作部２６および音量操作部２８を備える。
【００３７】
表示部２１は、映像を表示する機能を有し、例えば、液晶ディスプレイ（ＬＣＤ）、有機ＥＬ（Ｅｌｅｃｔｒｏ  Ｌｕｍｉｎｅｓｃｅｎｃｅ）ディスプレイ、またはプラズマディスプレイであってもよい。表示部２１には、コンテンツデータに含まれる映像データに基づく映像や、コンテンツデータの再生状況を示す映像などが表示される。
【００３８】
音声出力部２２は、コンテンツデータに含まれる音声データに基づく音声を出力する機能を有する。なお、図２（ａ）においては音声出力部２２の一例としてイヤホンを示したにすぎず、音声出力部２２は、スピーカであっても、ヘッドホンであってもよい。
【００３９】
指示操作部２３は、携帯機器２０に対して所定の処理の実行を指示したり、携帯機器２０へのデータ入力を指示する指示操作を検出する。所定の処理としては、例えば、コンテンツデータの再生、コンテンツデータの一時停止、コンテンツデータの早送り、コンテンツデータの巻き戻しなどがあげられる。また、指示操作部２３は、図２（ｂ）に示したように、上ボタン２３Ａ、下ボタン２３Ｂ、左ボタン２３Ｃおよび右ボタン２３Ｄなどの十字キーと、決定ボタン２３Ｅ、リターンボタン２３Ｆ、およびメニューボタン２３Ｇを含む。
【００４０】
十字キーを構成する各ボタン２３Ａ〜２３Ｄは、表示部２１に表示される各種選択項目にカーソルを合わせる際に用いられる。例えば、上ボタン２３Ａが押圧されるとカーソルが上に移動し、下ボタン２３Ｂが押圧されるとカーソルが下に移動し、左ボタン２３Ｃが押圧されるとカーソルが左に移動し、右ボタン２３Ｄが押圧されるとカーソルが右に移動するようにしてもよい。ここで、選択項目としては、コンテンツの名称、アルバムの名称、編集するコンテンツのメタデータの種類などがあげられる。
【００４１】
また、決定ボタン２３Ｅは、カーソルがあてられている選択項目を実行する際に用いられる。また、リターンボタン２３Ｆは、表示部２１に表示される表示画面を以前の状態に戻す際に用いられる。また、メニューボタン２３Ｇは、コンテンツデータのメタデータの設定や、表示部２１に表示する画面形式の設定などの各種設定のいずれを行うかを選択するためのメニュー画面を表示する際に用いられる。
【００４２】
なお、十字キーや決定ボタン２３Ｅなどは、指示操作部２３の具体的構成の一例として示したにすぎず、指示操作部２３は、例えば、タッチパネル、ボタン、スイッチ、レバー、ダイヤルや、リモートコントローラが発生する赤外線信号用の受光部などで構成することも可能である。
【００４３】
設定操作部としてのホールド操作部２６は、指示操作部２３に対する所定の処理の実行などを指示する指示操作を受け付けるか否かの設定を切替えるためのユーザによる操作を検出する。ユーザがホールド操作部２６をＯＮにするホールドオン操作（設定操作）を行うと、指示操作部２３に対する所定の処理の実行などを指示する指示操作を受け付けないホールドオン状態となり、ユーザがホールド操作部２６をＯＦＦするホールドオフ操作（解除操作）を行なうと、指示操作部２３に対する所定の処理の実行などを指示する指示操作を受け付けるホールドオフ状態となる。例えば、ホールド操作部２６がＯＦＦである場合には、携帯機器２０はコンテンツの再生を指示する再生指示操作に基づいてコンテンツを再生するが、ホールド操作部２６がＯＮである場合には、携帯機器２０はコンテンツの再生を指示する再生指示操作が検出された場合であってもコンテンツの再生を行なわない。
【００４４】
音量操作部２８は、ユーザによる音量調整操作を検出し、イヤホン２２から再生される音声の音量を調整する機能を有する。例えば、音量操作部２８の一側が押圧されると音量が減少し、音量操作部２８の他側が押圧されると音量が増加するようにしてもよい。
【００４５】
なお、図１および図２においては、表示装置の一例として携帯機器２０を示しているが、表示装置は、音楽再生機能付きの携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔ）携帯用ゲーム機器、家電機器などの情報処理装置であってもよい。
【００４６】
上述したように、携帯機器２０は、１または２以上のコンテンツデータに対応するメタデータが階層化されたコンテンツデータの検索用データベースを記憶し、該検索用データベースに基づいてコンテンツデータの検索画面を表示する。ここで、本実施形態にかかる携帯機器２０は、コンテンツデータの検索画面において、あるメタデータの画像情報として該メタデータに関する複数のジャケット写真を順次切替えさせることができる。その結果、本実施形態にかかる携帯機器２０によれば、ユーザによるコンテンツデータの検索作業の利便性が向上される。以下、このような携帯機器２０の構成および動作を図３〜図２０を参照して詳述する。
【００４７】
図３は、本実施形態にかかる携帯機器２０のハードウェア構成を示した説明図である。携帯機器２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、ブリッジ２０５と、外部バス２０６と、インタフェース２０７と、入力装置２０８と、出力装置２１０と、ストレージ装置（ＨＤＤ）２１１と、ドライブ２１２と、通信装置２１５とを備える。
【００４８】
ＣＰＵ２０１は、演算処理装置および制御装置として機能し、各種プログラムに従って携帯機器２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一次記憶する。これらはＣＰＵバスなどから構成されるホストバス２０４により相互に接続されている。
【００４９】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、一のバスにこれらの機能を実装してもよい。
【００５０】
入力装置２０８は、例えば、マウス、キーボード、タッチパネル、ボタン、マイク、スイッチおよびレバーなどユーザが情報を入力するための指示操作部２３と、ユーザによる入力に基づいて入力信号を生成し、ＣＰＵ２０１に出力する入力制御回路などから構成されている。携帯機器２０のユーザは、該入力装置２０８を操作することにより、携帯機器２０に対して各種のデータを入力したり処理動作を指示したりすることができる。
【００５１】
出力装置２１０は、例えば、ＣＲＴ（Ｃａｔｈｏｄｅ  Ｒａｙ  Ｔｕｂｅ）ディスプレイ装置、液晶ディスプレイ（ＬＣＤ）装置およびランプなどの表示装置と、スピーカおよびヘッドホンなどの音声出力装置で構成される。出力装置２１０は、例えば、再生されたコンテンツを出力する。具体的には、表示部２１に対応する表示装置は再生された映像データ等の各種情報をテキストまたはイメージで表示する。一方、音声出力部２２に対応する音声出力装置は、再生された音声データ等を音声に変換して出力する。
【００５２】
ストレージ装置２１１は、本実施形態にかかる携帯機器２０の記憶部の一例として構成されたデータ格納用の装置であり、記憶媒体、記憶媒体にデータを記録する記録装置、記憶媒体からデータを読み出す読出し装置および記憶媒体に記録されたデータを削除する削除装置などを含むことができる。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。また、このストレージ装置２１１には、コンテンツデータや、コンテンツデータを検索するための検索用エータベースなどが記憶される。なお、当該ストレージ装置２１１または記憶媒体は、携帯機器２０と着脱可能であってもよい。
【００５３】
ドライブ２１２は、記憶媒体用リーダライタであり、携帯機器２０に内蔵、あるいは外付けされる。ドライブ２１２は、装着されている磁気ディスク、光ディスク、光磁気ディスク、または半導体メモリ等のリムーバブル記憶媒体２４に記録されている情報を読み出して、ＲＡＭ２０３に出力する。
【００５４】
通信装置２１５は、例えば、通信網１２に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であっても、デジタル無線放送の受信装置であっても、アンテナやテレビチューナを含んでもよい。この通信装置２１５は、コンテンツ配信サーバ１０やＰＣ３０との間で、通信網１２を介してコンテンツデータを送受信することができる。
【００５５】
以上、図３を参照して本実施形態にかかる携帯機器２０のハードウェア構成を説明した。続いて、図４を参照して携帯機器２０の機能を説明する。
【００５６】
図４は、本実施形態にかかる携帯機器２０の構成を示した機能ブロック図である。携帯機器２０は、通信部２１６と、記録部２２０と、記憶部２２４と、操作部２２８と、表示画面生成部２３２と、検索部２３６と、表示部２１と、表示切替部２４４と、再生部２５０と、音声出力部２２と、再生制御部２５６と、を備える。
【００５７】
通信部２１６は、コンテンツ配信サーバ１０やＰＣ３０などの外部装置とのインターフェースであり、送信部または受信部としての機能を有する。例えば、通信部２１６は、コンテンツ配信サーバ１０から無線電波を用いて連続的（リアルタイム）に放送されたテレビ番組や映画などのコンテンツデータを受信することができる。コンテンツ配信サーバ１０から送信されるコンテンツデータは、デジタル形式であっても、アナログ形式であってもよい。
【００５８】
なお、通信部２１６は、図３に示した通信装置２１５を機能させるためのソフトウェアであっても、該ソフトウェアに基づいて動作する通信装置２１５であってもよい。また、図４においては、通信部２１６とコンテンツ配信サーバ１０とが直接通信を行う場合を示しているが、通信部２１６とコンテンツ配信サーバ１０とは図１に示したように通信網１２を介して通信を行ってもよい。
【００５９】
記録部２１８は、通信部２１６が受信したコンテンツデータを記憶部２２０に記録する。また、記録部２１８は、光ディスクやフラッシュメモリに記録されたコンテンツデータを取得して記憶部２２０に記録することもできる。
【００６０】
記憶部２２０は、コンテンツデータを記憶する記憶媒体として機能する。また、記憶部２２０は、コンテンツデータの属性を示すメタデータや、該メタデータが対応するコンテンツデータの属性に応じて階層化された検索用データベースを記憶する。このような記憶部２２０が記憶するデータ内容を、図５〜図１２を参照して説明する。
【００６１】
図５は、記憶部２２０が記憶するコンテンツファイルの一例を示した説明図である。図５に示した例では、記憶部２２０は、メタデータ３１２、データヘッダ３１４およびコンテンツデータ（データ）３１６を含むコンテンツファイル１、およびコンテンツファイル２を記憶している。
【００６２】
メタデータ３１２は、同一のコンテンツファイル１に含まれるコンテンツデータ３１６の属性を示す情報である。メタデータ３１２は、例えば、コンテンツデータ３１６のタイトル、コンテンツデータ３１６が収録されているアルバム名、コンテンツデータ３１６に対する評価、コンテンツデータ３１６の画像情報であるジャケット写真、コンテンツファイル１の所在を示すコンテンツファイルＵＲＩ（Ｕｎｉｆｏｒｍ  Ｒｅｓｏｕｒｃｅ  Ｉｄｅｎｔｉｆｉｅｒ）を含む。
【００６３】
データヘッダ３１４は、同一のコンテンツファイル１に含まれるコンテンツデータ３１６のデータ形式に関する情報である。データヘッダ３１４は、例えば、コンテンツデータ３１６の圧縮方式や、ビットレート情報などを含む。コンテンツデータ３１６は、映像データや音声データなどの再生されるデータそのものである。
【００６４】
コンテンツファイル２は、コンテンツファイル１と同様に、メタデータ３２２、データヘッダ３２４およびコンテンツデータ３２６を含んでもよい。
【００６５】
記憶部２２０は、上述のようなコンテンツファイルとは別に、図６に示すコンテンツ情報ファイル（コンテンツフリンジファイル）を記憶している場合がある。
【００６６】
図６は、記憶部２２０が記憶するコンテンツ情報ファイルの一例を示した説明図である。図６に示した例では、記憶部２２０はコンテンツ情報ファイル１、コンテンツ情報ファイル２、コンテンツ情報ファイル３を記憶している。コンテンツ情報ファイル１は、例えば、コンテンツデータ３１６の圧縮方式、コンテンツデータ３１６のタイトル、コンテンツデータ３１６が収録されているアルバム名、コンテンツデータ３１６に対する評価、コンテンツデータ３１６の画像情報であるジャケット写真、コンテンツファイル１の所在を示すコンテンツファイルＵＲＩを含む。
【００６７】
すなわち、コンテンツ情報ファイル１は、コンテンツファイル１のうちのメタデータ３１２およびデータヘッダ３１４に記載された情報を含み、コンテンツデータ３１６は含まない情報である。コンテンツ情報ファイル２およびコンテンツ情報ファイル３は、コンテンツ情報ファイル１と同様にコンテンツデータの圧縮方式、タイトル、アルバム名、コンテンツファイルＵＲＩなどを含む。
【００６８】
このようなコンテンツ情報ファイルは、コンテンツデータを含まないため、記憶部２２０に記憶されているコンテンツデータに対応するメタデータまたはデータヘッダの内容を検索する際に用いられる場合がある。
【００６９】
図７は、記憶部２２０が記憶するコンテンツデータの検索用データベースの一例を示した説明図である。検索用データベースは、対応する１または２以上のコンテンツデータの属性に応じて階層化されたメタデータを含む。すなわち、検索用データベースにおけるメタデータは、該メタデータに対応するコンテンツデータの属性に応じて、木構造におけるいずれかのノードに配されている。
【００７０】
図７に示した検索用データベースにおいては、第１階層に「ルート」４０２が配されている。そして、「ルート」４０２の下位の第２階層には複数のメタデータが配されている。具体的には、「ルート」４０２の下位の第２階層には、「音楽」４０４、「ビデオ」４０６、「フォト」４０８などのメタデータが配されている。
【００７１】
そして、「音楽」４０４の下位の第３階層には、「全曲」４１０、「アルバム」４１２、「アーティスト」４１４、「プレイリスト」４１６などのメタデータが配されている。また、「全曲」４１０の下位には、「あかし」４１８、「トビウマライダー」４２０、「ワールドピリオド」４２２など、記憶部２２０が記憶する音楽のコンテンツデータに対応する全てのメタデータが配されている。
【００７２】
また、「アルバム」４１２の下位の第４階層には、「五次元」４２４、「エムカブ」４２６、「上空」４２８など、記憶部２２０が記憶する音楽のコンテンツデータが収録されているアルバムを示すメタデータが配されている。さらに、「五次元」４２４の下位の第５階層には、「ワールドピリオド」４４２、「過去」４４４、「クロスライン」４４６など、アルバム「五次元」に含まれるコンテンツデータを示すメタデータが配されている。なお、下位にメタデータが配されているメタデータは、下位に配されているメタデータに対応するコンテンツデータにも対応する。例えば、「五次元」４２４は、下位に「ワールドピリオド」４４２、「過去」４４４、「クロスライン」４４６などのメタデータが配されているため、コンテンツデータ「ワールドピリオド」、「過去」、「クロスライン」に対応する。
【００７３】
また、「アーティスト」４１４の下位の第４階層には、「ミスターズ」４３０、「ポルノトリップ」４３２、「ロデカメン」４３４など、記憶部２２０が記憶する音楽のコンテンツデータのアーティストを示すメタデータが配されている。さらに、「ミスターズ」４３０の下位には、「全アルバム」４４８、「五次元」４５０、「上空」４５２、「ハイハート」４５４など、アーティスト「ミスターズ」により作成されたアルバムを示すメタデータが配されている。さらに、「全アルバム」４４８の下位の第６階層には、「あかし」４６２、「過去」４６４、「クロスライン」４６６など、アーティスト「ミスターズ」により作成された全てのアルバムに含まれるコンテンツデータに対応するメタデータが配されている。
【００７４】
また、「プレイリスト」４１６の下位の第４階層には、「プレイリスト１」４３６、「プレイリスト２」４３８、「プレイリスト３」４４０が配されている。さらに、「プレイリスト１」４３６の下位には、「トビウマライダー」４５６、「クロスライン」４５８、「ワールドピリオド」４６０など、「プレイリスト１」に登録されたコンテンツデータを示すメタデータが配されている。
【００７５】
「ビデオ」４０６の下位には、「音楽」４０４と同様にビデオのコンテンツデータのメタデータが該コンテンツデータの属性に従って階層的に配されている。また、「フォト」４０８の下位には、「音楽」４０４と同様に写真のコンテンツデータのメタデータが該コンテンツデータの属性に従って階層的に配されている。
【００７６】
ユーザは、上述した検索用データベースの階層構造を辿ることにより、所望のコンテンツデータを検索することができる。ユーザによる検索用データベースを用いたコンテンツデータの検索画面の具体例については図１３〜図２０を参照して後述する。
【００７７】
なお、メタデータが配されているという表現は、該当するノードにメタデータが記載されていることを意味しても、該当するノードに図５に示したコンテンツファイルのコンテンツファイルＵＲＩが記載されていることを意味しても、該当するノードに図６に示したコンテンツ情報ファイルの所在を示すコンテンツ情報ファイルＵＲＩが記載されていることを意味してもよい。続いて、図８〜図１０を参照してメタデータの具体例を説明する。
【００７８】
図８は、図７に示した検索用データベースの第３階層のノードに配されているメタデータの一例を示した説明図である。図８に示した例では、メタデータは、オブジェクトＩＤと、ノード名と、親ＩＤと、子ＩＤを含む。オブジェクトＩＤは、検索用データベースの各ノードに付されており、各ノードを識別するための情報である。本明細書においては、説明の明瞭性の観点から、図７の各メタデータに付した符号とオブジェクトＩＤとが同一であるものとして説明する。
【００７９】
また、メタデータに含まれる親ＩＤは、該メタデータの上位に配されているメタデータのオブジェクトＩＤを示す。また、メタデータに含まれる子ＩＤは、該メタデータの下位に配されているメタデータのオブジェクトＩＤを示す。
【００８０】
図７に示した検索用データベースにおいて、オブジェクトＩＤが「４１０」であるノードには第３階層の「全曲」４１０が対応付けられている。また、「全曲」４１０の上位ノードにはオブジェクトＩＤが「４１４」である「音楽」４１４が配され、「全曲」４１０の下位ノードには、オブジェクトＩＤが「４１８」である「あかし」４１８、オブジェクトＩＤが「４２０」である「トビウマライダー」４２０、オブジェクトＩＤが「４２２」である「ワールドピリオド」４２２が配されている。このようなメタデータ「全曲」４１０は、図８に示したように、オブジェクトＩＤ「４１０」、ノード名「全曲」、親ＩＤ「４０４」、子ＩＤ「４１８、４２０、４２２」という情報を含む。
【００８１】
同様に、図８に示したように、メタデータ「アルバム」４１２はオブジェクトＩＤ「４１２」、ノード名「アルバム」、親ＩＤ「４０４」、子ＩＤ「４２４、４２６、４２８」という情報を含み、メタデータ「アーティスト」４１４はオブジェクトＩＤ「４１４」、ノード名「アーティスト」、親ＩＤ「４０４」、子ＩＤ「４３０、４３２、４３４」という情報を含み、メタデータ「プレイリスト」４１６はオブジェクトＩＤ「４１６」、ノード名「プレイリスト」、親ＩＤ「４０４」、子ＩＤ「４３６、４３８、４４０」という情報を含む。
【００８２】
図９は、図７に示した検索用データベースのノードに配されたアルバムのメタデータの一例を示した説明図である。図９に示した例では、アルバムのメタデータは、オブジェクトＩＤ、アルバム名（ノード名）、親ＩＤ、子ＩＤ、ジャケット写真ＵＲＩ（Ｕｎｉｆｏｒｍ  Ｒｅｓｏｕｒｃｅ  Ｉｄｅｎｔｉｆｉｅｒ）を含む。ジャケット写真ＵＲＩは、アルバムのジャケット写真が記憶されている所在を示す情報である。
【００８３】
具体的には、図９に示した例では、図７に示した検索用データベースにおける「五次元」４２４は、オブジェクトＩＤ「４２４」、アルバム名「五次元」、親ＩＤ「４１２」、子ＩＤ「４４２、４４４、４４６」、ジャケット写真ＵＲＩ「ａａａ」を含む。すなわち、アルバム「五次元」のジャケット写真はＵＲＩ「ａａａ」に記憶されている。
【００８４】
同様に、図９に示した例では、「エムカブ」４２６はオブジェクトＩＤ「４２６」、アルバム名「エムカブ」、親ＩＤ「４１２」、子ＩＤ「４７０、４７２」、ジャケット写真ＵＲＩ「ｂｂｂ」を含み、「上空」４２８はオブジェクトＩＤ「４２８」、アルバム名「上空」、親ＩＤ「４１２」、子ＩＤ「４７４、４７６」、ジャケット写真ＵＲＩ「ｃｃｃ」を含み、「ハイハート」４５４はオブジェクトＩＤ「４５４」、アルバム名「ハイハート」、親ＩＤ「４３０」、子ＩＤ「４７８、４８０」、ジャケット写真ＵＲＩ「ｄｄｄ」を含む。
【００８５】
また、図７に示した検索用データベースにおける「全アルバム」４４８は、「ミスターズ」が作成した記憶部２２０が記憶する全てのアルバムに含まれる曲のメタデータが下位に配されていることを示す。したがって、「全アルバム」４４８は、「ミスターズ」が作成した記憶部２２０が記憶する全てのアルバムのジャケット写真の所在を示すジャケット写真ＵＲＩを含んでもよい。具体的には、「全アルバム」４４８は、図９に示した例では、オブジェクトＩＤ「４４８」、アルバム名「全アルバム」、親ＩＤ「４４８」、子ＩＤ「４６２、４６４、４６６」、およびアルバム「五次元」のジャケット写真ＵＲＩ「ａａａ」、アルバム「上空」のジャケット写真ＵＲＩ「ｃｃｃ」、アルバム「ハイハート」のジャケット写真ＵＲＩ「ｄｄｄ」を含む。
【００８６】
図１０は、図７に示した検索用データベースのノードに配されたコンテンツデータのメタデータの一例を示した説明図である。図１０に示した例では、コンテンツデータのメタデータは、オブジェクトＩＤ、曲名（ノード名）、アルバム名、アーティスト、コンテンツファイルＵＲＩを含む。コンテンツファイルＵＲＩは、ジャケット写真を含む図５に示したコンテンツファイルが記憶されている所在を示す情報である。
【００８７】
例えば、図７に示した検索用データベースにおける「ワールドピリオド」４４２は、オブジェクトＩＤが「４４２」であるノードに配されており、上位ノードはオブジェクトＩＤ「４２４」であり、コンテンツデータ「ワールドピリオド」はアルバム「五次元」に収録されており、コンテンツデータ「ワールドピリオド」は「ミスターズ」により作成されている。また、コンテンツデータ「ワールドピリオド」を含むコンテンツファイルはＵＲＩ「ｓｎ１ｎ」に記憶されているものとする。
【００８８】
この場合、図７に示した検索用データベースにおける「ワールドピリオド」４４２は、図１０に示したように、オブジェクトＩＤ「４４２」、曲名「ワールドピリオド」、親ＩＤ「４２４」、アルバム名「五次元」、アーティスト「ミスターズ」、コンテンツファイルＵＲＩ「ｓｎ１ｎ」という情報を含む。
【００８９】
図１０においては同様に、図７に示した検索用データベースにおける「過去」４４４はオブジェクトＩＤ「４４４」、曲名「過去」、親ＩＤ「４２４」、アルバム名「五次元」、アーティスト「ミスターズ」、コンテンツファイルＵＲＩ「ｓｎ２ｎ」という情報を含み、「クロスライン」４４６はオブジェクトＩＤ「４４６」、曲名「クロスライン」、親ＩＤ「４２４」、アルバム名「五次元」、アーティスト「ミスターズ」、コンテンツファイルＵＲＩ「ｓｎ３ｎ」という情報を含み、「トビウマライダー」４５６はオブジェクトＩＤ「４５６」、曲名「トビウマライダー」、親ＩＤ「４３６」、アルバム名「エムカブ」、アーティスト「ポルノトリップ」、コンテンツファイルＵＲＩ「ｓｎ４ｎ」という情報を含む。
【００９０】
以上、検索用データベースのノードに配されるメタデータの内容について図８〜図１０を参照して説明した。続いて、図１１および図１２を参照し、各メタデータに対応するジャケット写真の一例を説明する。
【００９１】
図１１は、アルバムのジャケット写真の一例を示した説明図である。アルバムのジャケット写真は、アルバムのカバー、あるいはアルバムに付属するアルバム説明書に描かれた画像であってもよい。かかるアルバムのジャケット写真は、図９に示したアルバムの各メタデータに含まれるジャケット写真ＵＲＩが指す位置に記憶されている。例えば、アルバム「五次元」のジャケット写真はＵＲＩ「ａａａ」に記憶されているジャケット写真５０４である。
【００９２】
同様に、図１１に示したように、アルバム「上空」のジャケット写真はＵＲＩ「ｃｃｃ」に記憶されているジャケット写真５０８であり、アルバム「ハイハート」のジャケット写真はＵＲＩ「ｄｄｄ」に記憶されているジャケット写真５１２であり、アルバム「エムカブ」のジャケット写真はＵＲＩ「ｂｂｂ」に記憶されているジャケット写真５１６である。なお、図１１においては各アルバムが１のジャケット写真を有する場合を示しているが、各アルバムは、カバーの表に描かれた画像および裏に描かれた画像など複数のジャケット写真を有してもよい。
【００９３】
図１２は、コンテンツデータのジャケット写真の一例を示した説明図である。コンテンツデータのジャケット写真は、コンテンツデータが記録された記憶媒体、該記憶媒体のカバー、または該記憶媒体に付属するコンテンツデータの説明書、に描かれた画像であってもよい。かかるコンテンツデータのジャケット写真は、一例として図１０に示したコンテンツデータの各メタデータに含まれるコンテンツファイルＵＲＩが指す位置に記憶されている。また、コンテンツデータのメタデータが図６に示したコンテンツ情報ファイルの所在を示すコンテンツ情報ファイルＵＲＩを含む場合、コンテンツデータのジャケット写真はコンテンツ情報ファイルＵＲＩの指す位置に記憶されていてもよい。
【００９４】
例えば、コンテンツデータ「ワールドピリオド」のジャケット写真は図１２に示したジャケット写真５２０であり、コンテンツデータ「過去」のジャケット写真は図１２に示したジャケット写真５２４であり、コンテンツデータ「クロスライン」のジャケット写真は図１２に示したジャケット写真５２８および５３２であり、コンテンツデータ「あかし」のジャケット写真は図１２に示したジャケット写真５３６であり、コンテンツデータ「トビウマライダー」のジャケット写真は図１２に示したジャケット写真５４０である。なお、このようなコンテンツデータのジャケット写真は、該コンテンツデータが収録されたアルバムのジャケット写真と同一であってもよい。
【００９５】
上述したように、記憶部２２４は、コンテンツデータ検索用データベース、コンテンツファイル、コンテンツ情報ファイル、アルバムのジャケット写真などを記憶する。このような記憶部２２４は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＰＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ／ＲＷ、ＤＶＤ−Ｒ／ＲＷ／＋Ｒ／＋ＲＷ／ＲＡＭおよびＢＤ（Ｂｌｕ−Ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。
【００９６】
図４を参照して携帯機器２０の構成の説明に戻ると、操作部２２８は、図２を用いて説明した指示操作部２３、ホールド操作部２６および音量操作部２８などに対応し、ユーザが行なった各種操作を検出するユーザインターフェースとして機能する。各種操作としては、表示部２１に表示されたコンテンツデータの検索画面に含まれる選択項目のいずれかにカーソルを合わせる操作や、コンテンツデータの再生や曲送りを指示する操作などがあげられる。
【００９７】
表示画面生成部２３２は、表示部２１に表示するための各種画面を生成する。各種画面としては、例えば、コンテンツデータの再生画面、コンテンツデータの評価設定画面、メニュー画面、プレイリスト登録画面、音量調整画面などがあげられる。また、表示画面生成部２３２は、図７に示した検索用データベースに基づいて、ユーザがコンテンツデータを検索するための検索画面を生成する。かかる検索画面の一例を、図１３を参照して説明する。
【００９８】
図１３は、表示画面生成部２３２が生成する検索画面を示した説明図である。検索画面は、アルバムやコンテンツデータなどのメタデータに対応する複数の選択項目を含み、表示画面生成部２３２は、いずれかの選択項目が選択されると、選択された選択項目の示すメタデータの下位のメタデータに対応する選択項目を含む検索画面を表示する。
【００９９】
具体的に説明すると、表示画面生成部２３２は、「音楽」、「ビデオ」、「フォト」および「各種設定」を選択項目として含む図１３（ａ）に示したホームメニュー画面を生成している状態において、ユーザ操作により「音楽」が選択されると、図７に示した「音楽」４０４の下位に配されているメタデータに基づき、「全曲」、「アルバム」、「アーティスト」、「プレイリスト」を選択項目として含む図１３（ｂ）に示す検索画面を生成する。
【０１００】
また、表示画面生成部２３２は、図１３（ｂ）に示す検索画面においてユーザ操作により「全曲」が選択されると、図７に示した「全曲」４１０の下位に配されているメタデータに基づき、「あかし」、「トビウマライダー」、「ワールドピリオド」を選択項目として含む図１３（ｃ）に示す検索画面を生成する。図１３（ｃ）に示す検索画面において「あかし」がユーザにより選択されると、再生部２５０がコンテンツデータ「あかし」の再生を開始し、表示画面生成部２３２が図１３（ｄ）に示すコンテンツデータの再生画面を生成する。
【０１０１】
なお、図１３に示した各選択項目のテキスト情報の左側に付した長方形領域は、詳細な画像を省略しているが、ジャケット写真を表している。例えば、図１３（ｃ）の「あかし」の左側には、コンテンツデータ「あかし」のジャケット写真５３６が表示される。
【０１０２】
また、表示画面生成部２３２は、図１３（ｂ）に示す検索画面においてユーザ操作により「アルバム」が選択されると、図７に示した「アルバム」４１２の下位に配されているメタデータに基づき、「五次元」、「エムカブ」、「上空」を選択項目として含む図１３（ｅ）に示す検索画面を生成する。さらに、表示画面生成部２３２は、図１３（ｅ）に示す検索画面において「五次元」が選択されると、図７に示した「五次元」４２４の下位に配されているメタデータに基づき、「ワールドピリオド」、「過去」、「クロスライン」を選択項目として含む図１３（ｆ）に示す検索画面を生成する。
【０１０３】
図１３（ｆ）に示す検索画面において「過去」がユーザにより選択されると、再生部２５０がコンテンツデータ「過去」の再生を開始し、表示画面生成部２３２が図１３（ｄ）に示すコンテンツデータの再生画面を生成する。
【０１０４】
また、表示画面生成部２３２は、図１３（ｂ）に示す検索画面においてユーザ操作により「アーティスト」が選択されると、図７に示した「アーティスト」４１４の下位に配されているメタデータに基づき、「ミスターズ」、「ポルノトリップ」、「ロデカメン」を選択項目として含む図１３（ｇ）に示す検索画面を生成する。さらに、表示画面生成部２３２は、図１３（ｇ）に示す検索画面において「ミスターズ」が選択されると、図７に示した「ミスターズ」４３０の下位に配されているメタデータに基づき、「全アルバム」、「五次元」、「上空」、「ハイハート」を選択項目として含む図１３（ｈ）に示す検索画面を生成する。
【０１０５】
さらに、表示画面生成部２３２は、図１３（ｈ）に示す検索画面において「全アルバム」が選択されると、図７に示した「全アルバム」４４８の下位に配されているメタデータに基づき、「あかし」、「過去」、「クロスライン」を選択項目として含む図１３（ｉ）に示す検索画面を生成する。図１３（ｉ）に示す検索画面において「クロスライン」がユーザにより選択されると、再生部２５０がコンテンツデータ「クロスライン」の再生を開始し、表示画面生成部２３２が図１３（ｄ）に示すコンテンツデータの再生画面を生成する。
【０１０６】
また、表示画面生成部２３２は、図１３（ｂ）に示す検索画面においてユーザ操作により「プレイリスト」が選択されると、図７に示した「プレイリスト」４１６の下位に配されているメタデータに基づき、「プレイリスト１」、「プレイリスト２」、「プレイリスト３」を選択項目として含む図１３（ｊ）に示す検索画面を生成する。さらに、表示画面生成部２３２は、図１３（ｊ）に示す検索画面において「プレイリスト１」が選択されると、図７に示した「プレイリスト１」４３６の下位に配されているメタデータに基づき、「トビウマライダー」、「クロスライン」、「ワールドピリオド」を選択項目として含む図１３（ｋ）に示す検索画面を生成する。
【０１０７】
図１３（ｋ）に示す検索画面において「トビウマライダー」がユーザにより選択されると、再生部２５０がコンテンツデータ「トビウマライダー」の再生を開始し、表示画面生成部２３２が図１３（ｄ）に示すコンテンツデータの再生画面を生成する。
【０１０８】
上述したように、表示画面生成部２４４は、ジャケット写真を含むコンテンツデータの検索画面を生成する。より詳細には、本実施形態にかかる携帯機器２０の表示画面生成部２４４は、アルバムやコンテンツデータなどのメタデータを示す選択項目に該アルバムやコンテンツデータに関するジャケット写真を含ませ、かつ、該アルバムやコンテンツデータに関するジャケット写真を順次切替えることができる。かかるジャケット写真の切替は、後述の検索部２３６および表示切替部２４４などの具体的構成により実現される。
【０１０９】
検索部２３６は、検索画面における選択項目に含ませるジャケット写真を検索する。具体的には、検索部２３６は、ある選択項目が示すメタデータに関するジャケット写真を検索し、表示画面生成部２４４に供給する。表示画面生成部２４４は、検索部２３６により検索されたジャケット写真の少なくともいずれかを選択項目に含ませた検索画面を生成する。
【０１１０】
ここで、メタデータに関するジャケット写真は、該メタデータに含まれるジャケット写真ＵＲＩの指す位置に記憶されたジャケット写真であっても、該メタデータの下位のメタデータに含まれるコンテンツファイルＵＲＩの指す位置に記憶されたジャケット写真であってもよい。
【０１１１】
例えば、図１３（ｅ）に示した選択項目「五次元」は、検索用データベースにおけるメタデータ「五次元」４２４を示す。また、メタデータ「五次元」４２４の下位には、メタデータ「ワールドピリオド」４４２、「過去」４４４、「クロスライン」４４６が配されている。したがって、検索部２３６は、選択項目「五次元」含ませるジャケット写真として、アルバム「五次元」のジャケット写真５０４の他、コンテンツデータ「ワールドピリオド」、「過去」、「クロスライン」のジャケット写真５２０、５２４、５２８および５３２などを検索する。
【０１１２】
そして、表示画面生成部２４４は、このように検索部２３６により検索されたジャケット写真５０４、５２０、５２４、５２８および５３２の少なくともいずれかを選択項目「五次元」に含ませた検索画面を生成することができる。
【０１１３】
表示切替部２４４は、表示画面生成部２３２が生成する検索画面に含まれるジャケット写真の切替を指示する切替指示を出力する。表示画面生成部２３２は、表示切替部２４４により切替指示が出力されると、選択項目に含ませるジャケット写真を、検索部２３６により検索された他のジャケット写真に切替える。
【０１１４】
また、表示切替部２４４は、上記切替指示を所定間隔（設定時間間隔）で出力してもよい。かかる構成によれば、検索画面における選択項目に含まれるジャケット写真が自動的に切替えられるため、ユーザは特段の操作をすることなく順次切替えられるジャケット写真を参考にしてコンテンツデータを検索することができる。
【０１１５】
また、表示切替部２４４は、上記切替指示を検索部２３６により検索されたジャケット写真の数に応じた間隔で出力してもよい。例えば、表示切替部２４４は、検索部２３６により検索されたジャケット写真の数が多い場合には切替指示の間隔を短くし、検索部２３６により検索されたジャケット写真の数が少ない場合には切替指示の間隔を長くしてもよい。または、表示切替部２４４は、特定の時間を選択項目の示すメタデータに関するジャケット写真の数で除した間隔で切替指示を出力し、選択項目の示すメタデータに関する全てのジャケット写真を特定の時間内に表示させることができる。
【０１１６】
また、表示切替部２４４は、上記切替指示を操作部２２８に対するユーザによる所定操作に基づいて出力してもよい。または、表示切替部２４４は、ユーザによる所定操作が検出されていない間は所定間隔で切替指示を出力し、所定操作が検出されている間は切替指示の出力を停止するようにしてもよい。かかる構成においては、表示画面生成部２３２は、ユーザによる所定操作に基づく切替指示が表示切替部２４４から出力されると、検索画面に含まれるジャケット写真を検索部２３６により検索された他のジャケット写真に切替える。したがって、ユーザは、目的や必要に応じて、あるジャケット写真の表示を維持したり、あるジャケット写真の表示を同一メタデータに関する他のジャケット写真に切替えることができる。
【０１１７】
再生部２５０は、デコード部２４８と、音声出力部２２とを含み、再生制御部２５６の制御に基づいてコンテンツデータの音声を再生する。
【０１１８】
デコード部２４８は、通信部２１６または記憶部２２０から入力される音声データをデコードする。例えば、デコード部２４８は、ＭＰ３（ＭＰＥＧ１  Ｌａｙｅｒ−３）、ＡＡＣ（Ａｄｖａｎｃｅｄ  Ａｕｄｉｏ  Ｃｏｄｅｃ）、ＬＰＣＭ（Ｌｉｎｅａｒ  ＰＣＭ）、ＷＭＡ９（Ｗｉｎｄｏｗｓ  Ｍｅｄｉａ  Ａｕｄｉｏ９）、ＡＴＲＡＣ（Ａｄａｐｔｉｖｅ  ＴＲａｎｓｆｏｒｍ  Ａｃｏｕｓｔｉｃ  Ｃｏｄｉｎｇ）またはＡＴＲＡＣ３などのデータ形式の音声データをデコードすることができる。また、音声出力部２２は、デコード部２４８がデコードした音声データを出力する。このようにデコード部２４８が音声データをデコードし音声出力部２２が音声を出力する動作を、コンテンツデータの再生と称する。
【０１１９】
再生制御部２５６は、再生部２５０によるコンテンツデータの再生を制御する。例えば、再生制御部２５６は、操作部２２８に対して入力されたコンテンツデータの再生指示に基づいて再生部２５０にコンテンツデータを再生させたり、操作部２２８に対して入力された再生中のコンテンツデータの曲送り指示に基づいて再生部２５０に次のコンテンツデータを再生させたりする。
【０１２０】
また、本実施形態にかかる携帯機器２０の再生制御部２５６は、コンテンツデータの検索画面においてカーソルが合わせられている選択項目に含まれるジャケット写真に対応するコンテンツデータを再生部２５０に再生させることができる。例えば、表示画面生成部２３２により生成される検索画面において、あるアルバムのメタデータを示す選択項目にカーソルが合わせられており、選択項目に該アルバムに収録されたコンテンツデータのジャケット写真が含まれていた場合、再生制御部２５６は、該コンテンツデータの音声を再生部２５０に再生させることができる。
【０１２１】
また、検索画面に含まれるジャケット写真は表示切替部２４４による切替指示に応じて切替えられるため、再生制御部２５６は表示切替部２４４による切替指示に応じ、再生部２５０が再生するコンテンツデータを切替させることができる。
【０１２２】
かかる構成においては、表示画面生成部２３２が、あるメタデータを示す選択項目に該メタデータに対応するコンテンツデータのジャケット写真を含ませた検索画面を生成するとともに、再生部２５０が該コンテンツデータの再生を行なう。したがって、ユーザは、検索画面に含まれるコンテンツデータのジャケット写真と、再生されるコンテンツデータの音声と、に基づいて上記メタデータの内容を把握することができる。このため、当該携帯機器２０は、ユーザによるコンテンツデータの検索作業の利便性の一層の向上を図ることが可能である。また、再生部２５０は、コンテンツデータを再生してもよいし、メタデータ３１２の１つのデータであるダイジェスト再生用コンテンツデータを再生してもよい。ダイジェスト再生用データとは、コンテンツデータをダイジェスト若しくはプレビュー再生するために、コンテンツデータの所定部分、例えばサビの部分を所定時間だけコンテンツデータから予め切り出したデータのことである。
【０１２３】
また、本実施形態にかかる再生制御部２５６は、あるメタデータを示す選択項目に該メタデータに対応するコンテンツデータのジャケット写真が含まれているときに再生指示が入力されると、再生部２５０に該コンテンツデータを再生させることができる。かかる構成においては、例えば、あるアルバムのメタデータを示す選択項目に含まれるジャケット写真に対応するコンテンツデータの再生をユーザが所望した場合、検索用データベースの階層構造を辿ることなく直ちに該コンテンツデータの再生を開始することができる。
【０１２４】
以上、本実施形態にかかる携帯機器２０の機能、構成を説明した。続いて、図１４〜図２０を参照して本実施形態にかかる携帯機器２０の動作を説明する。
【０１２５】
図１４は、携帯機器２０の表示部２１が表示する検索画面の一例を示した説明図である。表示部２１は、ジャケット写真やテキスト情報を含む選択項目を含む検索画面を表示する。図１４（ａ）に示した例では、表示部２１が表示する検索画面には、アルバム「五次元」のジャケット写真５０４およびタイトルを含む選択項目「五次元」と、アルバム「エムカブ」のジャケット写真５１６およびタイトルを含む選択項目「エムカブ」と、アルバム「上空」のジャケット写真５０８およびタイトルを含む選択項目「上空」と、が含まれている。また、図１４（ａ）に示した例ではカーソル４０が合わせられている選択項目「五次元」は、図７に示した「五次元」４２４を示す。
【０１２６】
図１４（ａ）に示した検索画面において、表示切替部２４４により切替指示が出力されると、表示画面生成部２３２はカーソルが合わせられている選択項目「五次元」に含まれるジャケット写真５０４を、図７に示した「五次元」４２４に関する他のジャケット写真に切替る。ここで、「五次元」４２４に関するジャケット写真は、図７に示した「五次元」４２４の下位に配されている「ワールドピリオド」４４２、「過去」４４４、「クロスライン」４４６のジャケット写真を含む。その結果、表示部２１は、図１４（ｂ）に示したように、選択項目「五次元」に含まれるジャケット写真がコンテンツデータ「ワールドピリオド」のジャケット写真５２０に切替えられた検索画面を表示する。
【０１２７】
さらに、図１４（ｂ）に示した検索画面において、表示切替部２４４により切替指示が出力されると、表示画面生成部２３２はカーソルが合わせられている選択項目「五次元」に含まれるジャケット写真５２０を、図７に示した「五次元」４２４に関する他のジャケット写真に切替る。その結果、表示部２１は、図１４（ｃ）に示したように、選択項目「五次元」に含まれるジャケット写真がコンテンツデータ「過去」のジャケット写真５２４に切替えられた検索画面を表示する。
【０１２８】
以降、表示切替部２４４により切替指示が出力されると、表示画面生成部２３２はカーソルが合わせられている選択項目に含まれるジャケット写真を切替え、表示部２１はカーソルが合わせられている選択項目のジャケット写真が切替えられた検索画面を表示することができる。
【０１２９】
なお、選択項目には必ずしもテキスト情報を含む必要はない。例えば、図１５に示したように、表示部２１は選択項目としてジャケット写真のみを表示するようにしてもよい。また、図１４（ｂ）の検索画面が表示されているときに再生指示が入力されると再生部２５０がコンテンツデータ「ワールドピリオド」の再生を開始し、図１４（ｃ）の検索画面が表示されているときに再生指示が入力されると再生部２５０がコンテンツデータ「過去」の再生を開始してもよい。
【０１３０】
図１６は、表示部２１に図１４に示した検索画面を表示させるための携帯機器２０における表示方法の流れを示したフローチャートである。まず、携帯機器２０の検索部２３６は、検索画面においてカーソルがあてられている選択項目の示すアルバムに関するジャケット写真を検索する（Ｓ６０４）。すなわち、検索部２３６は、カーソルがあてられている選択項目の示すメタデータに含まれるジャケット写真、または該メタデータの下位に配されているメタデータに含まれるジャケット写真を検索する。
【０１３１】
続いて、表示画面生成部２３２は、カーソルがあてられている選択項目の示すアルバムに関するジャケット写真が検索されたか否かを判断する（Ｓ６０８）。表示画面生成部２３２は、カーソルがあてられている選択項目の示すアルバムに関するジャケット写真が検索されなかった場合、カーソルがあてられている選択項目の示すアルバムに関するジャケット写真を非表示にする（Ｓ６１２）。
【０１３２】
一方、表示画面生成部２３２は、カーソルがあてられている選択項目の示すアルバムに関するジャケット写真が検索された場合、検索されたジャケット写真のいずれかを含む検索画面を生成し、表示部２１に表示させる（Ｓ６１６）。続いて、表示画面生成部２３２は、設定時間待機すると表示切替部２４４により切替指示を入力される（Ｓ６２０）。そして、表示画面生成部２３２は、生成中の検索画面に含まれるジャケット写真の他に、カーソルがあてられている選択項目の示すアルバムに関する他のジャケット写真があるか否かを判断する（Ｓ６２４）。
【０１３３】
Ｓ６２４においてアルバムのメタデータに関する他のジャケット写真があると判断されると、表示画面生成部２３２は、カーソルがあてられている選択項目の示すアルバムに関する他のジャケット写真を含む検索画面を生成し、表示部２１に表示させる（Ｓ６２８）。なお、カーソルがあてられている選択項目の示すアルバムに関するジャケット写真が一通り表示された場合には、カーソルがあてられている選択項目の示すアルバムに関するジャケット写真が再度表示されるようにしてもよい。Ｓ６２４において、アルバムに関する他のジャケット写真がないと判断されると、携帯機器２０は当該フローを終了する。
【０１３４】
このように、当該表示方法によれば、アルバムを選択する検索画面において、アルバムのジャケット写真、またはアルバムに含まれるコンテンツデータのジャケット写真を切替えて表示するため、ユーザは順次切替えられるジャケット写真に基づいてアルバムを効率的に選択可能である。
【０１３５】
図１７は、携帯機器２０の表示部２１が表示する検索画面の他の例を示した説明図である。表示部２１は、ジャケット写真やテキスト情報を含む選択項目を含む検索画面を表示する。図１７（ａ）に示した例では、表示部２１が表示する検索画面には、アルバム「五次元」のジャケット写真５０４および「全アルバム」というテキスト情報を含む選択項目「全アルバム」と、アルバム「五次元」のジャケット写真５０４およびタイトルを含む選択項目「五次元」と、アルバム「上空」のジャケット写真５０８およびタイトルを含む選択項目「上空」と、アルバム「ハイハート」のジャケット写真５１２およびタイトルを含む選択項目「ハイハート」と、が含まれる。図１７（ａ）に示した例ではカーソル４０が合わせられている選択項目「全アルバム」は、図７に示した「全アルバム」４４８を示す。
【０１３６】
図１７（ａ）に示した検索画面において、表示切替部２４４により切替指示が出力されると、表示画面生成部２３２はカーソルが合わせられている選択項目「全アルバム」に含まれるジャケット写真５０４を、図７に示した「全アルバム」４４８に関する他のジャケット写真に切替る。ここで、「全アルバム」４４８に関するジャケット写真は、図７に示した「全アルバム」４４８に対応付けられた「五次元」４５０、「上空」４５２、「ハイハート」４５４などのジャケット写真を含む。その結果、表示部２１は、図１７（ｂ）に示したように、選択項目「全アルバム」に含まれるジャケット写真がアルバム「上空」のジャケット写真５０８に切替えられた検索画面を表示する。
【０１３７】
さらに、図１７（ｂ）に示した検索画面において、表示切替部２４４により切替指示が出力されると、表示画面生成部２３２はカーソルが合わせられている選択項目「全アルバム」に含まれるジャケット写真５０８を、図７に示した「全アルバム」４４８に関する他のジャケット写真に切替る。その結果、表示部２１は、図１７（ｃ）に示したように、選択項目「全アルバム」に含まれるジャケット写真５０８がアルバム「ハイハート」のジャケット写真５１２に切替えられた検索画面を表示する。
【０１３８】
以降、表示切替部２４４により切替指示が出力されると、表示画面生成部２３２はカーソルが合わせられている選択項目に含まれるジャケット写真を切替え、表示部２１はカーソルが合わせられている選択項目のジャケット写真が切替えられた検索画面を表示することができる。
【０１３９】
なお、図１７（ｂ）に示した選択項目「全アルバム」にアルバム「ハイハート」のジャケット写真が含まれる検索画面が表示されているときに選択項目「全アルバム」がユーザにより選択されると、表示画面生成部２３２は、選択項目としてアルバム「ハイハート」に含まれるコンテンツデータを示す選択項目を含む検索画面を生成してもよい。
【０１４０】
図１８は、表示部２１に図１７に示した検索画面を表示させるための携帯機器２０における表示方法の流れを示したフローチャートである。まず、携帯機器２０の検索部２３６は、検索画面においてカーソルがあてられている選択項目「全アルバム」に関するジャケット写真を検索する（Ｓ７０４）。すなわち、検索部２３６は、カーソルがあてられている選択項目「全アルバム」の示すメタデータ「全アルバム」４４８に含まれるジャケット写真を検索する。
【０１４１】
続いて、表示画面生成部２３２は、カーソルがあてられている選択項目「全アルバム」に関するジャケット写真が検索されたか否かを判断する（Ｓ７０８）。表示画面生成部２３２は、カーソルがあてられている選択項目「全アルバム」に関するジャケット写真が検索されなかった場合、カーソルがあてられている選択項目「全アルバム」に関するジャケット写真を非表示にする（Ｓ７１２）。
【０１４２】
一方、表示画面生成部２３２は、カーソルがあてられている選択項目「全アルバム」に関するジャケット写真が検索された場合、検索されたジャケット写真のいずれかを含む検索画面を生成し、表示部２１に表示させる（Ｓ７１６）。続いて、表示画面生成部２３２は、設定時間待機すると表示切替部２４４により切替指示を入力される（Ｓ７２０）。そして、表示画面生成部２３２は、生成中の検索画面に含まれるジャケット写真の他に、カーソルがあてられている選択項目「全アルバム」に関する他のジャケット写真があるか否かを判断する（Ｓ７２４）。
【０１４３】
Ｓ７２４において選択項目「全アルバム」に関する他のジャケット写真があると判断されると、表示画面生成部２３２は、選択項目「全アルバム」に関する他のジャケット写真を含む検索画面を生成し、表示部２１に表示させる（Ｓ７２８）。一方、選択項目「全アルバム」に関する他のジャケット写真がないと判断されると、携帯機器２０は当該フローを終了する。
【０１４４】
このように、当該表示方法によれば、アルバムを選択する検索画面において、選択項目「全アルバム」に記憶部２２４が記憶するアルバムのジャケット写真を含ませ、かつ該アルバムのジャケット写真を切替える。したがって、ユーザは、順次切替えられるアルバムのジャケット写真に基づいて、記憶部２２４にどのようなアルバムが記憶されているかを把握することができる。
【０１４５】
図１９は、携帯機器２０の表示部２１が表示する検索画面の他の例を示した説明図である。表示部２１は、ジャケット写真やテキスト情報を含む選択項目を含む検索画面を表示する。図１９（ａ）に示した例では、表示部２１が表示する検索画面には、コンテンツデータ「トビウマライダー」のジャケット写真５４０および「プレイリスト１」のテキスト情報を含む選択項目「プレイリスト１」と、コンテンツデータ「あかし」のジャケット写真５３６および「プレイリスト２」のテキスト情報を含む選択項目「プレイリスト２」と、アルバム「ハイハート」のジャケット写真５１２および「プレイリスト３」のテキスト情報を含む選択項目「プレイリスト３」と、が含まれる。また、図１９（ａ）に示した例ではカーソル４０が合わせられている選択項目「プレイリスト１」は、図７に示した「プレイリスト１」４３６を示す。
【０１４６】
図１９（ａ）に示した検索画面において、表示切替部２４４により切替指示が出力されると、表示画面生成部２３２はカーソルが合わせられている選択項目「プレイリスト１」に含まれるジャケット写真５４０を、図７に示した「プレイリスト１」４３６に関する他のジャケット写真に切替る。ここで、「プレイリスト１」４３６に関するジャケット写真は、「プレイリスト１」４３６の下位に配されている「トビウマライダー」４５６、「クロスライン」４５８、「ワールドピリオド」４６０のジャケット写真を含む。その結果、表示部２１は、図１９（ｂ）に示したように、選択項目「プレイリスト１」に含まれるジャケット写真がコンテンツデータ「クロスライン」のジャケット写真５２８に切替えられた検索画面を表示する。
【０１４７】
さらに、図１９（ｂ）に示した検索画面において、表示切替部２４４により切替指示が出力されると、表示画面生成部２３２はカーソルが合わせられている選択項目「プレイリスト１」に含まれるジャケット写真５２８を、「プレイリスト１」４３６に関する他のジャケット写真に切替る。その結果、表示部２１は、図１９（ｃ）に示したように、選択項目「プレイリスト１」に含まれるジャケット写真がコンテンツデータ「ワールドピリオド」のジャケット写真５２０に切替えられた検索画面を表示する。
【０１４８】
以降、表示切替部２４４により切替指示が出力されると、表示画面生成部２３２はカーソルが合わせられている選択項目に含まれるジャケット写真を切替え、表示部２１はカーソルが合わせられている選択項目のジャケット写真が切替えられた検索画面を表示することができる。
【０１４９】
なお、カーソルがあてられている選択項目に対する再生指示が入力された場合、再生指示が入力されたときにカーソルがあてられている選択項目に含まれていたジャケット写真に対応するコンテンツデータの再生が再生部２５０により開始されるようにしてもよい。例えば、図１９（ｂ）の検索画面が表示されているときに再生指示が入力されると再生部２５０がコンテンツデータ「クロスライン」の再生を開始し、図１９（ｃ）の検索画面が表示されているときに再生指示が入力されると再生部２５０がコンテンツデータ「ワールドピリオド」の再生を開始してもよい。
【０１５０】
図２０は、表示部２１に図１９に示した検索画面を表示させるための携帯機器２０における表示方法の流れを示したフローチャートである。まず、携帯機器２０の検索部２３６は、検索画面においてカーソルがあてられている選択項目の示すプレイリストに関するジャケット写真を検索する（Ｓ８０４）。すなわち、検索部２３６は、カーソルがあてられている選択項目の示すメタデータに含まれるジャケット写真、または該メタデータの下位に配されているメタデータに含まれるジャケット写真を検索する。
【０１５１】
続いて、表示画面生成部２３２は、カーソルがあてられている選択項目の示すプレイリストに関するジャケット写真が検索されたか否かを判断する（Ｓ８０８）。表示画面生成部２３２は、カーソルがあてられている選択項目の示すプレイリストに関するジャケット写真が検索されなかった場合、カーソルがあてられている選択項目の示すプレイリストに関するジャケット写真を非表示にする（Ｓ８１２）。
【０１５２】
一方、表示画面生成部２３２は、カーソルがあてられている選択項目の示すプレイリストに関するジャケット写真が検索された場合、検索されたジャケット写真のいずれかを含む検索画面を生成し、表示部２１に表示させる（Ｓ８１６）。続いて、再生制御部２５６は、ユーザにより再生指示が入力されたか否かを判断する（Ｓ８２０）。
【０１５３】
ユーザにより再生指示が入力されていないと判断されると、表示切替部２４４は設定時間が経過したか否かを判断する（Ｓ８２４）。設定時間が経過していないと判断されると携帯機器２０はＳ８２０の処理に戻る。一方、Ｓ８２４において設定時間が経過したと判断された場合、表示画面生成部２３２は、表示切替部２４４による切替指示を受け、生成中の検索画面に含まれるジャケット写真の他に、カーソルがあてられている選択項目の示すプレイリストに関する他のジャケット写真があるか否かを判断する（Ｓ８２８）。
【０１５４】
Ｓ８２８においてプレイリストに関する他のジャケット写真があると判断されると、表示画面生成部２３２は、カーソルがあてられている選択項目の示すプレイリストに関する他のジャケット写真を含む検索画面を生成し、表示部２１に表示させる（Ｓ８３２）。一方、アルバムに関する他のジャケット写真がないと判断されると、携帯機器２０は当該フローを終了する。
【０１５５】
また、Ｓ８２０において再生指示が入力されたと判断された場合、再生制御部２５６は、再生指示が入力されたときにカーソルがあてられている選択項目に含まれていたジャケット写真に対応するコンテンツデータを再生部２５０に再生させる（Ｓ８３６）。
【０１５６】
このように、当該表示方法によれば、プレイリストを選択する検索画面において、各プレイリストに含まれるコンテンツデータのジャケット写真を切替えて表示するため、ユーザは順次切替えられるジャケット写真に基づいて所望するプレイリストを効率的に選択可能である。
【０１５７】
以上説明したように、本実施形態にかかる携帯機器２０は、コンテンツデータの検索画面における選択項目に含まれるジャケット写真を、該選択項目に関する他のジャケット写真に順次切り替えることができる。したがって、携帯機器２０のユーザは、順次切り替えられるジャケット写真に基づいて選択項目の内容を想起することができる。その結果、当該携帯機器２０によれば、ユーザによるコンテンツデータの検索作業の利便性が向上される。
【０１５８】
また、本実施形態にかかる携帯機器２０の表示画面生成部２３２は、あるメタデータを示す選択項目に該メタデータに対応するコンテンツデータのジャケット写真を含ませた検索画面を生成するとともに、再生部２５０が該コンテンツデータの再生を行なう。したがって、ユーザは、検索画面に含まれるコンテンツデータのジャケット写真と、再生されるコンテンツデータの音声と、に基づいて上記メタデータの内容を把握することができる。このため、当該携帯機器２０は、ユーザによるコンテンツデータの検索作業の利便性の一層の向上を図ることが可能である。
【０１５９】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１６０】
例えば、上記実施形態では、カーソルがあてられている選択項目に含まれるジャケット写真のみを切替えて表示する場合を説明したが、本発明はかかる例に限定されない。例えば、携帯機器２０は、検索画面における全ての選択項目に含まれるジャケット写真を切替えて表示するようにしてもよい。
【０１６１】
また、上記実施形態では、コンテンツデータが音声データである場合に重きをおいて説明したが、本発明はかかる例に限定されない。例えば、コンテンツデータは映像データおよび音声データを含む映画やテレビ番組のデータであってもよい。この場合、コンテンツデータの画像情報は、映画やテレビ番組のワンシーンや代表的な画像などのサムネイルであってもよい。
【０１６２】
また、本明細書の携帯機器２０の処理における各ステップは、必ずしもフローチャートとして記載された順序に沿って時系列に処理する必要はなく、並列的あるいは個別に実行される処理（例えば、並列処理あるいはオブジェクトによる処理）も含むとしてもよい。
【０１６３】
また、携帯機器２０に内蔵されるＣＰＵ２０１、ＲＯＭ２０２およびＲＡＭ２０３などのハードウェアを、上述した携帯機器２０の各構成と同等の機能を発揮させるためのコンピュータプログラムも作成可能である。また、上述のようなコンピュータプログラムを記憶した記憶媒体も提供される。また、図４の機能ブロック図で示したそれぞれの機能ブロックをハードウェアで構成することで、一連の処理をハードウェアで実現することもできる。
【図面の簡単な説明】
【０１６４】
【図１】本発明の第１の実施形態にかかるコンテンツ通信システム１の構成を示した説明図である。
【図２】同実施形態にかかる携帯機器の外観構成例を示した説明図である。
【図３】本実施形態にかかる携帯機器のハードウェア構成を示した説明図である。
【図４】本実施形態にかかる携帯機器の構成を示した機能ブロック図である。
【図５】記憶部が記憶するコンテンツファイルの一例を示した説明図である。
【図６】記憶部が記憶するコンテンツ情報ファイルの一例を示した説明図である。
【図７】記憶部が記憶するコンテンツデータの検索用データベースの一例を示した説明図である。
【図８】検索用データベースの第３階層のノードに配されているメタデータの一例を示した説明図である。
【図９】検索用データベースのノードに配されたアルバムのメタデータの一例を示した説明図である。
【図１０】検索用データベースのノードに配されたコンテンツデータのメタデータの一例を示した説明図である。
【図１１】アルバムのジャケット写真の一例を示した説明図である。
【図１２】コンテンツデータのジャケット写真の一例を示した説明図である。
【図１３】表示画面生成部が生成する検索画面を示した説明図である。
【図１４】携帯機器の表示部が表示する検索画面の一例を示した説明図である。
【図１５】表示部が表示する検索画面の変更例を示した説明図である。
【図１６】表示部に図１４に示した検索画面を表示させるための携帯機器０における表示方法の流れを示したフローチャートである。
【図１７】携帯機器の表示部が表示する検索画面の他の例を示した説明図である。
【図１８】表示部に図１７に示した検索画面を表示させるための携帯機器における表示方法の流れを示したフローチャートである。
【図１９】携帯機器の表示部が表示する検索画面の他の例を示した説明図である。
【図２０】表示部に図１９に示した検索画面を表示させるための携帯機器における表示方法の流れを示したフローチャートである。
【符号の説明】
【０１６５】
１０        コンテンツ配信サーバ
２０        携帯機器
２１        表示部
２２        音声出力部
２２０      記録部
２２４      記憶部
２３２      表示画面生成部
２３６      検索部
２４４      表示切替部
２５０      再生部
２５６      再生制御部
【図１】
2008197914.tif 000003
【図２】
2008197914.tif 000004
【図３】
2008197914.tif 000005
【図４】
2008197914.tif 000006
【図５】
2008197914.tif 000007
【図６】
2008197914.tif 000008
【図７】
2008197914.tif 000009
【図８】
2008197914.tif 000010
【図９】
2008197914.tif 000011
【図１０】
2008197914.tif 000012
【図１１】
2008197914.tif 000013
【図１２】
2008197914.tif 000014
【図１３】
2008197914.tif 000015
【図１４】
2008197914.tif 000016
【図１５】
2008197914.tif 000017
【図１６】
2008197914.tif 000018
【図１７】
2008197914.tif 000019
【図１８】
2008197914.tif 000020
【図１９】
2008197914.tif 000021
【図２０】
2008197914.tif 000022